(57)【特許請求の範囲】
【請求項１】
上方に吸気口を有する上部枠体とそれに連通する吸気パイプを保持し、前記上部枠体に係合して床ノズル本体を形成する下部枠体と、前記下部枠体の中央部に形成された塵埃を捕集する開口部と、前記下部枠体の前記開口部の前後に設けられた回転ブラシと、前記開口部内に設けられた毛ブラシとを備え、前記毛ブラシを、前後に配した前記回転ブラシより床面側に突出させた吸込具。
【請求項２】
請求項１記載の吸込具を用いた電気掃除機。
【発明の詳細な説明】
【技術分野】
【０００１】
本発明は、一般家庭のふとんゴミや埃等を捕集する電気掃除機用吸込具に関するものである。
【背景技術】
【０００２】
近年、ダニなどによるアレルギ−症状を持つ人が増えている。ダニが繁殖する場所として最も多いのが、ふとんであった。そのためふとん掃除を念入りに行うことで症状を軽減することができることが分かってきた。そのためふとんから効率よく塵埃を捕集するふとん用吸込具が求められており、従来からも、ふとんノズルは開発されている（例えば、特許文献１参照）。
【０００３】
以下、その構成を図７を用いて説明する。
【０００４】
吸込具は、上部枠体１と下部枠体２とにより形成されており、内部に集塵室３を有し前
記集塵室３の掃除面方向には下部枠体２に開口部４が設けられている。吸込具後部上方には電気掃除機（図示せず）に接続して塵埃を捕集するための吸気口５が形成され、それに吸気パイプ６が保持されている。下部枠体２の前後には開口部４を挟むように回転ブラシ６が取り付けられている。
【０００５】
上記構成より、ふとん上を本吸込具で掃除することにより回転ブラシ６がふとん表面を叩きながら移動するためふとんから塵埃を捕集することができる。
【特許文献１】実開平０１−０２５０５１号公報
【発明の開示】
【発明が解決しようとする課題】
【０００６】
しかしながら、これらのふとん用吸込具に保持されている回転ブラシ６は駆動装置を有していないため前後に動かすとき、ふとんの上面を叩くだけの効果しかなく、塵埃は主にふとん用吸込具の中央部に設けた開口部４がふとんに吸い付いて塵埃を捕集する構成となっていた。そのためふとん表面に絡みついた塵は掻きだすことができずアレルギーの原因となる塵を取り残している問題を有していた。さらに開口部４がふとんに吸い付くため、操作性が極めて悪く、操作時に過大な負荷を与えてしまうといった問題も有していた。
【０００７】
本発明は、上記問題を解決するもので、ふとん掃除時に過度にふとんに吸い付くのを防止し、操作性の良好とすると共に、繊維内に絡まった塵も捕集する吸込具を提供するものである。
【課題を解決するための手段】
【０００８】
上記目的を達成するために本発明は、上方に吸気口を有する上部枠体とそれに連通する吸気パイプを保持し、前記上部枠体に係合して床ノズル本体を形成する下部枠体と、前記下部枠体の中央部に形成された塵埃を捕集する開口部と、前記下部枠体の前記開口部の前後に設けられた回転ブラシと、前記開口部内に設けられた毛ブラシとを備え、前記毛ブラシを、前後に配した前記回転ブラシより床面側に突出させた吸込具とした。これにより、効率よく塵埃を捕集すると共に、開口部の吸着を低減して操作性も向上できるものである。
【発明の効果】
【０００９】
本発明は、効率よく塵埃を捕集すると共に開口部の吸着を低減し、軽く操作できるようにするものであり、ふとん掃除時の肉体的疲労の低減を図ることができる。
【発明を実施するための最良の形態】
【００１０】
第１の発明は、上方に吸気口を有する上部枠体とそれに連通する吸気パイプを保持し、前記上部枠体に係合して床ノズル本体を形成する下部枠体と、前記下部枠体の中央部に形成された塵埃を捕集する開口部と、前記下部枠体の前記開口部の前後に設けられた回転ブラシと、前記開口部内に設けられた毛ブラシとを備え、前記毛ブラシを、前後に配した前記回転ブラシより床面側に突出させた吸込具とした。
【００１１】
これにより、毛ブラシで、ふとん表面の布地の内部にある塵埃を、機械的に掻きだすことができ、効率よく塵埃を捕集することができる。更に、毛ブラシで開口部の吸着を低減でき、操作性も向上できるものである。
【００１２】
また、第１の発明は、毛ブラシを、前後に配した回転ブラシより床面側に突出させる構成とした。
【００１３】
これにより、ふとん掃除時に、毛ブラシをふとん表面に効率良く当てることができ、毛
ブラシが突っ張りとなり、開口部にふとんの生地が吸い付くのを防止でき、使い勝手の良好な吸込具を提供できる。
【００１４】
第２の発明は、第１の発明の吸込具を用いた電気掃除機としたので、ふとん掃除時に、効率よく塵埃を捕集すると共に開口部の吸着を低減し、軽く操作できる電気掃除機を提供できるようになる。
【００１５】
以下、本発明の実施の形態について、図面を参照しながら説明する。なお、この実施の形態により本発明が限定されるものではない。
【００１６】
（実施の形態１）
以下、本発明の第１の実施の形態について図１、図２を用いて説明する。
【００１７】
図１において、１１は上部枠体で電気掃除機（図示せず）に接続され、塵を電気掃除機本体に導くための吸気口１２を有している。その端部には、延長管（図示せず）もしくはホ−ス（図示せず）に接続される吸気パイプ１３を保持している。また下方には上部枠体１１に系合して吸込具本体を形成する下部枠体１４を保持している。この上部枠体１１と下部枠体１４により集塵室１５を形成し、その下方中央部にふとんから塵埃を捕集するための開口部１６を形成している。開口部１６の内部には、毛ブラシ１７が保持されており、その前後には、塵埃を塵埃の通路となる吸気通路１８が形成されている。開口部１６の前後には、ふとんを叩くための回転ブラシ１９が保持されている。回転ブラシ１９は、前方だけでも後方だけの場合も考えられる。また図２に示すように集塵室１５内に回転ブラシ１９と毛ブラシ１７を保持する構成も考えられる。
【００１８】
上記構成よる作用は以下の通りである。
【００１９】
吸込具をふとんに接地させた状態で、吸込具を前後させると下部枠体１４の前後に保持した回転ブラシ１９がふとんの表面を叩き振動を与える。さらに開口部１６内部に保持した毛ブラシ１７によりふとん表面の布の内部に入り込んだダニなどのアレルギーの原因となる微細な粉塵を繊維から掻きだす。毛ブラシ１７は開口部１６内に配設しているため一旦繊維から離れたダニなどの微粉末は、容易に開口部１６から吸い取ることができる。
【００２０】
その時また、開口部１６内部に毛ブラシ１７があるため、ふとんが開口部１６に過度に吸い付くことも防止できる。そのため操作性を向上することができ、軽操作で効率の良い掃除機を提供できる。図２に示す構成では床面への吸着はさらに少なくなり、操作性は一層良好になる。
【００２１】
（実施の形態２）
次に本発明の第２の実施の形態を図３において説明する。なお上記実施の形態１と同一部分については同一符号を付して、その説明を省略する。
【００２２】
開口部１６内に毛ブラシ１７を配設し、この毛ブラシ１７は下部枠体１４の前後に保持した回転ブラシ１９よりふとん面方向に長く形成している。
【００２３】
上記構成よる作用は以下の通りである。
【００２４】
これにより、ふとん掃除時に毛ブラシ１７をふとん表面に効率良く当てることができる。毛ブラシ１７が突っ張りとなり、開口部１６にふとんの生地が吸い付くのを防止でき、使い勝手の良好なふとん用吸込具を提供できる。
【００２５】
（実施の形態３）
次に本発明の第３の実施の形態を図４において説明する。なお上記実施の形態１、実施の形態２と同一部分については同一符号を付して、その説明を省略する。
【００２６】
図４において下部枠体１４に形成した開口部１６のふとん側に複数の毛ブラシ１７を前後方向に列をなして形成する。このとき近接する前後の毛ブラシ１７が重なることのないように形成する。
【００２７】
上記構成よる作用は以下の通りである。
【００２８】
吸込具を操作したとき、毛ブラシ１７がふとん表面および内部の細塵を掻きだすことになる。そのとき前方の毛ブラシ１７を後方の毛ブラシ１７に比べ短く構成する。これにより吸込具を前方に動かすときふとん表面と隙間が出来るため塵が毛ブラシに引っかかり難くなり、効果的に塵を吸い込むことが出来る。また毛ブラシ１７を開口部１６に保持しているので操作性が良好で塵取れ性が良い吸込み具を提供できるものである。
【００２９】
（実施の形態４）
次に本発明の第４の実施の形態を図５において説明する。なお上記実施の形態１〜３と同一部分については同一符号を付して、その説明を省略する。
【００３０】
下部枠体１４にはふとんに接地する回転ブラシ１９と毛ブラシ１７を備え、開口部１６の下部に毛ブラシ１７を保持する。この毛ブラシ１７は、後方に一列毛ブラシ１７を配置し、その前方に高低段違いの毛ブラシ１７を配設している。
【００３１】
上記構成よる作用は以下の通りである。
【００３２】
毛ブラシ１７を複数列形成することにより、塵の掻きだし性が向上し、操作性も良好となる。しかも前方の毛ブラシに高低差をつけることにより、綿くずなどの塵が引っかかり難くなり使い勝手が向上する。
【００３３】
（実施の形態５）
次に本発明の第５の実施の形態を図６において説明する。なお上記実施の形態１〜４と同一部分については同一符号を付して、その説明を省略する。
【００３４】
下部枠体１４にはふとんに接地する回転ブラシ１９と毛ブラシ１７を備え、開口部１６の下部に毛ブラシ１７を保持する。この時、前方の毛ブラシ１７の材質を柔らかもので形成する。
【００３５】
上記構成よる作用は以下の通りである。
【００３６】
毛ブラシ１７を複数列形成することにより、塵の掻きだし性が向上し、操作性も良好となる。このとき前方の毛ブラシ１７を柔らかな材質の毛で形成する。これにより吸込具を操作するとき前方の毛ブラシが柔らかいためふとん表面の抵抗が少なく軽く快適に操作でき操作性が向上する。
【産業上の利用可能性】
【００３７】
本発明にかかる吸込具は、開口部内部に毛ブラシを配し、ふとん掃除時に過度にふとんに吸い付くのを防止し、操作性が良好となると共に、開口部近傍に設けた毛ブラシにより繊維内に絡まった塵も捕集することができるものである。
【図面の簡単な説明】
【００３８】
【図１】（ａ）本発明の実施の形態１を示す吸込具の断面図（ｂ）同、吸込具の下面図
【図２】（ａ）本発明の実施の形態１の他の例を示す吸込具の断面図（ｂ）同、吸込具の下面図
【図３】（ａ）本発明の実施の形態２を示す吸込具の断面図（ｂ）同、吸込具の下面図
【図４】（ａ）本発明の実施の形態３を示す吸込具の断面図（ｂ）同、吸込具の下面図
【図５】（ａ）本発明の実施の形態４を示す吸込具の断面図（ｂ）同、吸込具の下面図
【図６】（ａ）本発明の実施の形態５を示す吸込具の断面図（ｂ）同、吸込具の下面図
【図７】（ａ）従来の吸込具の断面図（ｂ）同、吸込具の下面図
【符号の説明】
【００３９】
１１  上部枠体
１４  下部枠体
１５  集塵室
１６  開口部
１７  毛ブラシ
【図１】
0004774925.tif 000002
【図２】
0004774925.tif 000003
【図３】
0004774925.tif 000004
【図４】
0004774925.tif 000005
【図５】
0004774925.tif 000006
【図６】
0004774925.tif 000007
【図７】
0004774925.tif 000008